(57)【特許請求の範囲】
【請求項１】
踏み板に略矩形に切り欠かれ、後方に開放する凹部が形成され、桁に前方に開放する切り欠き部が形成され、切り欠き部の内部に開放端に向かって突出する略矩形の凸部が設けられ、前記凹部と凸部とを嵌合させて踏み板が桁に固定される階段の踏み板の固定構造において、踏み板の凹部および桁の切り欠き部の内部に設けられた凸部のそれぞれに、両者の嵌合を支える嵌合支え部が設けられ、凹部より横幅が狭く、凹部の奥側から踏み板の前側に向かって凹部から連続してのびる第２の凹部が踏み板に形成され、凸部より横幅が狭く、凸部の先端から切り欠き部の開放端に向かって連続してのび、第２の凹部に嵌合可能な第２の凸部が桁に配設され、これら第２の凹部および第２の凸部が嵌合支え部として機能することを特徴とする階段の踏み板の固定構造。
【請求項２】
踏み板に略矩形に切り欠かれ、後方に開放する凹部が形成され、桁に前方に開放する切り欠き部が形成され、切り欠き部の内部に開放端に向かって突出する略矩形の凸部が設けられ、前記凹部と凸部とを嵌合させて踏み板が桁に固定される階段の踏み板の固定構造において、踏み板の凹部および桁の切り欠き部の内部に設けられた凸部のそれぞれに、両者の嵌合を支える嵌合支え部が設けられ、凹部の奥側から踏み板の前側に向かって凹部に連通する穿孔が踏み板に形成され、凸部の先端から切り欠き部の開放端に向かって突出し、穿孔に嵌入可能なダボが桁に配設され、これら穿孔およびダボが嵌合支え部として機能することを特徴とする階段の踏み板の固定構造。
【請求項３】
踏み板に略矩形に切り欠かれ、後方に開放する凹部が形成され、桁に前方に開放する切り欠き部が形成され、切り欠き部の内部に開放端に向かって突出する略矩形の凸部が設けられ、前記凹部と凸部とを嵌合させて踏み板が桁に固定される階段の踏み板の固定構造において、踏み板の凹部および桁の切り欠き部の内部に設けられた凸部のそれぞれに、両者の嵌合を支える嵌合支え部が設けられ、凹部は踏み板の後端から前側に向かって横幅が狭くなる略逆台形形状を有し、凸部は切り欠き部の開放端に向かって先細になる台形形状を有し、凹部および凸部が嵌合支え部としての機能も果たすことを特徴とする階段の踏み板の固定構造。
【発明の詳細な説明】
【技術分野】
【０００１】
本願発明は、階段の踏み板を桁に固定するための固定構造に関する。
【背景技術】
【０００２】
戸建て住宅などにおいて階上と階下を連絡する階段では、たとえば図４に示したように、踏み板１が左右の端部において桁２や側板３に連結され、段を形成している。図４図中の円内に示される踏み板１と桁２との連結部では、図５に拡大して示したように、踏み板１に略矩形に切り欠かれ、後方に開放する凹部４が形成され、桁２に前方に開放する切り欠き部５が形成され、凹部４を切り欠き部５に嵌め込むことにより踏み板１が桁２に固定されるようにしている（たとえば、特許文献１）。
【０００３】
詳細には、図６（ａ）の側面図、図６（ｂ）のＡ−Ａ断面図に示したように、桁２の切り欠き部５の内部に開放端に向かって突出する略矩形形状を有する凸部６が設けられ、踏み板１の凹部４が凸部６に嵌合するようにしている。
【特許文献１】特開平６−３２２９１７号公報
【発明の開示】
【発明が解決しようとする課題】
【０００４】
踏み板１の凹部４、そして桁２の切り欠き部５に設けられた凸部６はともに矩形形状とされているので、凹部４を凸部６に嵌合させるのは容易でないのが実際であり、そこで、凹部４の横幅ｗ１を凸部６の横幅ｗ２より大きくし、凹部４と凸部６との間にクリアランスを設け、踏み板１の取付作業を容易にするという工夫が考えられている。
【０００５】
しかしながら、横幅方向のクリアランスによって嵌合作業は容易となるものの、嵌合強度の低下は否めない。嵌合強度の低下は、階段を上り下りする際の踏み鳴りとなって現れ、踏み鳴り音は意外と大きい。
【０００６】
本願発明は、このような事情に鑑みてなされたものであり、踏み板の桁への取付作業を容易としながらも、嵌合強度を向上させ、踏み鳴りを低減させることのできる階段の踏み板の固定構造を提供することを課題としている。
【課題を解決するための手段】
【０００７】
本願発明は、上記の課題を解決するために、第１に、踏み板に略矩形に切り欠かれ、後方に開放する凹部が形成され、桁に前方に開放する切り欠き部が形成され、切り欠き部の内部に開放端に向かって突出する略矩形の凸部が設けられ、前記凹部と凸部とを嵌合させて踏み板が桁に固定される階段の踏み板の固定構造において、踏み板の凹部および桁の切り欠き部の内部に設けられた凸部のそれぞれに、両者の嵌合を支える嵌合支え部が設けられ、凹部より横幅が狭く、凹部の奥側から踏み板の前側に向かって凹部から連続してのびる第２の凹部が踏み板に形成され、凸部より横幅が狭く、凸部の先端から切り欠き部の開放端に向かって連続してのび、第２の凹部に嵌合可能な第２の凸部が桁に配設され、これら第２の凹部および第２の凸部が嵌合支え部として機能することを特徴としている。
【０００８】
本願発明は、第２に、踏み板に略矩形に切り欠かれ、後方に開放する凹部が形成され、桁に前方に開放する切り欠き部が形成され、切り欠き部の内部に開放端に向かって突出する略矩形の凸部が設けられ、前記凹部と凸部とを嵌合させて踏み板が桁に固定される階段の踏み板の固定構造において、踏み板の凹部および桁の切り欠き部の内部に設けられた凸部のそれぞれに、両者の嵌合を支える嵌合支え部が設けられ、凹部の奥側から踏み板の前側に向かって凹部に連通する穿孔が踏み板に形成され、凸部の先端から切り欠き部の開放端に向かって突出し、穿孔に嵌入可能なダボが桁に配設され、これら穿孔およびダボが嵌合支え部として機能することを特徴としている。
【０００９】
本願発明は、第３に、踏み板に略矩形に切り欠かれ、後方に開放する凹部が形成され、桁に前方に開放する切り欠き部が形成され、切り欠き部の内部に開放端に向かって突出する略矩形の凸部が設けられ、前記凹部と凸部とを嵌合させて踏み板が桁に固定される階段の踏み板の固定構造において、踏み板の凹部および桁の切り欠き部の内部に設けられた凸部のそれぞれに、両者の嵌合を支える嵌合支え部が設けられ、凹部は踏み板の後端から前側に向かって横幅が狭くなる略逆台形形状を有し、凸部は切り欠き部の開放端に向かって先細になる台形形状を有し、凹部および凸部が嵌合支え部としての機能も果たすことを特徴としている。
【発明の効果】
【００１１】
本願の第１の発明によれば、踏み板の凹部、桁の切り欠き部の内部に設けられた凸部のそれぞれに設けられた嵌合支え部によって、凹部と凸部との嵌合を支えることができ、踏み板の桁への取付作業を容易としながらも、嵌合強度を高めることができる。階段を上り下りする際の踏み鳴りは十分低減され、大きな音は生じない。
【００１２】
また、本願の第１の発明によれば、第２の凹部と第２の凸部との嵌合によって凹部と凸部との嵌合を支えることができ、嵌合強度が向上する。
【００１３】
本願の第２の発明によれば、ダボの穿孔への嵌入によって凹部と凸部との嵌合を支えることができるとともに、踏み板の横方向の動きが拘束されるため、嵌合強度が向上する。
【００１４】
本願の第３の発明によれば、凹部と凸部との間のクリアランスを小さくすることができ、小さなクリアランスであっても踏み板の桁への取付作業は容易に行うことができる。しかも、踏み板を桁の切り欠き部に差し込むほどにクリアランスがより小さくなり、凹部および凸部はそれ自体で嵌合を支えることができ、嵌合強度が高まる。
【発明を実施するための最良の形態】
【００１５】
図１（ａ）（ｂ）は、それぞれ、本願発明の階段の踏み板の固定構造の一実施形態を示した要部側面図、Ａ−Ａ断面図である。
【００１６】
踏み板１に略矩形に切り欠かれ、後方に開放する凹部４が形成され、桁２に前方に開放する切り欠き部５が形成され、切り欠き部５の内部に開放端に向かって突出する略矩形の凸部６が設けられている。凹部４と凸部６との嵌合により踏み板１を桁２に固定することができるようにしている。凹部４の横幅ｗ１は凸部６の横幅ｗ２より大きくされ、凹部４と凸部６との間にクリアランスが形成されるようにし、凹部４と凸部６との嵌合が容易に実現されるようにしている。このため、踏み板１の桁２への取付作業が容易となっている。
【００１７】
本実施形態では、また、図１（ｂ）に示したように、踏み板１に、凹部４の奥側から踏み板１の前側に向かってのびる、略矩形形状を有する第２の凹部７が形成されている。第２の凹部７は、横幅Ｗ１が凹部４の横幅ｗ１より狭く、凹部４の中央部に連設されている。桁２には、凸部６の先端から切り欠き部５の開放端に向かってのびる、略矩形形状を有する第２の凸部８が設けられている。第２の凸部８も、横幅Ｗ２が凸部６の横幅ｗ２より狭く、凸部６の中央部に連設されている。このような第２の凸部８は、踏み板１に形成された第２の凹部７に嵌合可能とされている。
【００１８】
踏み板１を桁２に取り付ける際には、踏み板１を切り欠き部５に差し込み、凹部４に凸部６を嵌合させる。凹部４と凸部６との間にはクリアランスが設けられており、嵌合は容易である。踏み板１をさらに桁２の奥側に差し込むと、第２の凹部７に第２の凸部８が嵌合する。第２の凹部７と第２の凸部８の嵌合は、強固なものであるが、各々の横幅Ｗ１、Ｗ２が凹部４、凸部６の横幅ｗ１、ｗ２より狭くされているので容易に実現される。この第２の凹部７と第２の凸部８との嵌合によって凹部４と凸部６の嵌合が支えられ、凹部４と凸部６とが比較的ゆるく嵌合していても、嵌合強度が全体的に向上する。このため、階段を上り下りする際の踏み鳴りが低減され、大きな音は生じない。
【００１９】
加えて、凹部４の奥行きＬ１、凸部６の突出代Ｌ２が、それぞれ、図６に示した凹部４の奥行きＬ３、凸部６の突出代Ｌ４より短くなっている。このため、踏み板１が桁２に接触する面積が拡大され、固定に用いられる接着剤の接着面積が大きくなり、より高い固定強度が得られる。また、凸部６の凹部４への嵌入深さが短くなり、踏み板１の桁２への取付作業がより容易となる。
【００２０】
本実施形態では、第２の凹部７および第２の凸部８が、凹部４と凸部６との嵌合を支える嵌合支え部となっている。
【００２１】
図２（ａ）（ｂ）は、それぞれ、本願発明の階段の踏み板の固定構造の一実施形態を示した要部側面図、Ａ−Ａ断面図である。
【００２２】
踏み板１に略矩形に切り欠かれ、後方に開放する凹部４が形成され、桁２に前方に開放する切り欠き部５が形成され、切り欠き部５の内部に開放端に向かって突出する略矩形の凸部６が設けられている。凹部４と凸部６との嵌合により踏み板１を桁２に固定することができるようにしている。凹部４の横幅ｗ１は凸部６の横幅ｗ２より大きくされ、凹部４と凸部６との間にクリアランスが形成されるようにし、凹部４と凸部６との嵌合が容易に実現されるようにしている。このため、踏み板１の桁２への取付作業が容易となっている。
【００２３】
本実施形態では、また、踏み板１に、凹部４の奥側から踏み板１の前側に向かって凹部４に連通する穿孔９が、左右対称な位置に２つ形成されている。桁２には、切り欠き部５の内部に設けられた凸部６に中ほどから前端に向かってダボ挿入孔１０が形成されている。ダボ挿入孔１０にはダボ１１が嵌め込まれ、ダボ１１は、凸部６の先端から切り欠き部５の開放端に向かって突出している。ダボ１１も２本取り付けられており、各々のダボ１１の取り付け位置は、踏み板１に形成された穿孔９の位置に対応し、穿孔９への嵌入が可能となっている。
【００２４】
本実施形態では、穿孔９およびダボ１１が、凹部４と凸部６との嵌合を支える嵌合支え部として機能する。すなわち、踏み板１を桁２に取り付ける際には、踏み板１を切り欠き部５に差し込み、凹部４に凸部６を嵌合させる。凹部４と凸部６との間にはクリアランスが設けられており、嵌合は容易である。踏み板１をさらに桁２の奥側に差し込むと、凸部６の先端から切り欠き部５の開放端に向かって突出するダボ１１が、凹部４を通じて踏み板１に形成された穿孔９に嵌入する。このダボ１１の穿孔９への嵌入によって凹部４と凸部６の嵌合が支えられ、特に踏み板１の横方向の動きが拘束されるため、凹部４と凸部６とが比較的ゆるく嵌合していても、嵌合強度が全体的に向上する。このため、階段を上り下りする際の踏み鳴りが低減され、大きな音は生じない。
【００２５】
なお、本実施形態では、穿孔９およびダボ１１の数に制限はなく、１つ以上であれば、凹部４と凸部６との嵌合をしっかりと支えることができる。
【００２６】
図３（ａ）（ｂ）は、それぞれ、本願発明の階段の踏み板の固定構造の一実施形態を示した要部側面図、Ａ−Ａ断面図である。
【００２７】
踏み板１に形成された凹部４は、図３（ｂ）に示したように、踏み板１の後端から前側に向かって横幅が狭くなる略逆台形形状を有している。桁２の切り欠き部５の内部に設けられた凸部６は、凹部４の形状に対応して、切り欠き部５の開放端に向かって先細になる台形形状を有している。このような凹部４、凸部６をそれぞれ踏み板１、桁２に設ける場合、凹部４と凸部６との間のクリアランスを小さくすることができ、小さなクリアランスであっても踏み板１の桁２への取付作業は容易に行うことができる。しかも、踏み板１を桁２の切り欠き部５に差し込むほどにクリアランスがより小さくなり、凹部４および凸部６はそれ自体で嵌合を支えることができ、嵌合強度が高まる。すなわち、図３（ａ）（ｂ）に示した凹部４および凸部６はそれ自体が嵌合支え部としても機能する。このため、階段を上り下りする際の踏み鳴りが低減され、大きな音は生じない。
【００２８】
加えて、凹部４、凸部６それぞれの大きさは、図６に示した凹部４、凸部６の大きさより小さくなり、このため、踏み板１が桁２に接触する面積が拡大され、固定に用いられる接着剤の接着面積が大きくなり、より高い固定強度が得られる。
【００２９】
以上に例示される本願発明の階段の踏み板の固定構造は、図４に示したような片側または両側が壁１２によって保持されることのない、いわゆるオープン階段に好ましく適用される。オープン階段はデザイン性が高く、かつ開放的な空間を演出するものとして付加価値の高い階段である。このようなオープン階段における踏み板１と桁２との連結を本願発明の階段の踏み板の固定構造は良好に実現する。
【図面の簡単な説明】
【００３０】
【図１】（ａ）（ｂ）は、それぞれ、本願発明の階段の踏み板の固定構造の一実施形態を示した要部側面図、Ａ−Ａ断面図である。
【図２】（ａ）（ｂ）は、それぞれ、本願発明の階段の踏み板の固定構造の一実施形態を示した要部側面図、Ａ−Ａ断面図である。
【図３】（ａ）（ｂ）は、それぞれ、本願発明の階段の踏み板の固定構造の一実施形態を示した要部側面図、Ａ−Ａ断面図である。
【図４】階段を示した斜視図である。
【図５】階段における踏み板と桁との連結部を拡大して示した要部斜視図である。
【図６】（ａ）（ｂ）は、それぞれ、連結部の詳細を示した要部側面図、Ａ−Ａ断面図である。
【符号の説明】
【００３１】
１    踏み板
２    桁
３    側板
４    凹部
５    切り欠き部
６    凸部
７    第２の凹部
８    第２の凸部
９    穿孔
１０    ダボ挿入孔
１１    ダボ
１２    壁
【図１】
0004735240.tif 000002
【図２】
0004735240.tif 000003
【図３】
0004735240.tif 000004
【図４】
0004735240.tif 000005
【図５】
0004735240.tif 000006
【図６】
0004735240.tif 000007